(57)【要約】【課題】  入力データを示す表示を全て消去したときに、入力案内を再表示させることができる、使用しやすい入力案内装置を提供する。【解決手段】  文字データ等の入力を行うための入力画面が表示される表示部１０と、文字等のデータ入力を行う操作部１２と、入力案内データ等の各種データを記憶する記憶部１４と、制御部１６とを備え、起動時に入力画面の所定領域に表示されていた入力案内は、操作部１２により入力画面の所定領域に文字等が入力されると消去され、該文字等が全て消去されると、記憶部１４から入力案内データが読み出されて所定領域に入力案内が再表示される。【選択図】        図１
2005128975.tif 000002
【特許請求の範囲】
【請求項１】
入力案内を示す入力案内データを記憶する記憶手段と、
入力画面の所定領域に前記入力案内データにより示される入力案内を表示する案内初期表示手段と、
文字データを入力するための文字データ入力手段と、
前記文字データ入力手段により文字データが入力される場合に、前記所定領域に既に表示されている前記入力案内の表示を消去するとともに、該入力案内データが表示されていた前記所定領域に、入力された文字データが示す文字を表示する表示切替手段と、
前記所定領域に既に表示されている文字を消去する指示を行うための消去指示手段と、
前記所定領域に既に表示された文字が、前記消去指示手段による指示により全て消去される場合に、前記入力案内データを前記記憶手段から読み出して、該入力案内データにより示される入力案内を前記所定領域に再表示する案内再表示手段と、
を含むことを特徴とする入力案内装置。
【請求項２】
請求項１記載の入力案内装置において、前記記憶手段には、前記入力画面の各入力項目毎に入力可能な所定文字数と、前記文字データ入力手段からの文字データの入力操作中に取得された入力済文字数とが格納され、前記入力可能な所定文字数と前記入力済文字数とに基づき演算部が入力可能な残り文字数を算出し、該値を表示制御部が前記入力画面に表示することを特徴とする入力案内装置。
【請求項３】
請求項２記載の入力案内装置において、前記表示制御部は、前記入力画面に前記入力案内データを前記文字データとは異なる表示態様で表示することを特徴とする入力案内装置。
【請求項４】
請求項２または請求項３記載の入力案内装置において、前記記憶手段には、前記入力画面に表示される入力項目が必須入力項目か否かに関する情報が格納され、前記表示制御部は、前記入力画面に前記必須入力項目と非必須入力項目とを異なる表示態様で表示することを特徴とする入力案内装置。
【請求項５】
請求項２から請求項４のいずれか一項記載の入力案内装置において、前記記憶手段には、前記入力案内データの態様が複数格納され、前記表示制御部は、操作部から入力される指示情報に基づき前記入力画面に前記入力案内データの態様を選択表示することを特徴とする入力案内装置。
【請求項６】
表示手段を有する入力案内装置であって、前記表示手段には文字データ入力を行うための入力画面が表示され、前記入力画面には、入力案内データによって示される入力案内が表示され、入力操作により入力された文字データによって示される文字を前記入力画面に表示した場合に、前記入力案内の表示を消去し、前記入力された文字データによって示される文字の表示を全て消去した場合に、前記入力案内を前記入力画面に再表示することを特徴とする入力案内装置。
【請求項７】
請求項１から請求項６のいずれか一項記載の入力案内装置を備えた携帯端末。
【請求項８】
記憶手段に記憶された入力案内データを読み出し、入力画面の所定領域に該入力案内データにより示される入力案内を表示する案内初期表示ステップと、
文字データ入力手段により１文字目の文字データが入力される場合に、前記入力画面の前記所定領域に既に表示されている前記入力案内の表示を消去するとともに、該入力案内データが表示されていた前記入力画面の前記所定領域に、入力された文字データが示す文字を表示する表示切替ステップと、
前記入力画面の前記所定領域に既に表示された文字が、消去指示手段による指示により全て消去される場合に、前記入力案内データを前記記憶手段から読み出して、該入力案内データにより示される入力案内を前記入力画面の前記所定領域に再表示する案内再表示ステップと、
を含むことを特徴とするコンピュータの制御方法。
【請求項９】
入力案内を示す入力案内データを記憶する記憶手段、
入力画面の所定領域に前記入力案内データにより示される入力案内を表示する案内初期表示手段、
文字を示す文字データを入力するための文字データ入力手段、
前記文字データ入力手段により１文字目の文字データが入力される場合に、前記入力画面の前記所定領域に既に表示されている前記入力案内の表示を消去するとともに、該入力案内データが表示されていた前記入力画面の前記所定領域に、入力された文字データが示す文字を表示する表示切替手段、
前記入力画面の前記所定領域に既に表示されている文字を消去する指示を行うための消去指示手段、及び
前記入力画面の前記所定領域に既に表示された文字が、前記消去指示手段による指示により全て消去される場合に、前記入力案内データを前記記憶手段から読み出して、該入力案内データにより示される入力案内を前記入力画面の前記所定領域に再表示する案内再表示手段、
としてコンピュータを機能させるためのプログラム。
【発明の詳細な説明】
【技術分野】
【０００１】
本発明は、入力画面に入力案内を表示するための入力案内装置及びこれを備えた携帯端末と、それらのためのコンピュータの制御方法及びプログラムの改良に関する。
【背景技術】
【０００２】
パーソナルコンピュータ、携帯電話、ＰＤＡ等にユーザがデータを入力する場合には、それぞれのディスプレイに表示された入力画面に対して文字等の入力操作を行う必要がある。このような入力画面には、ユーザの入力操作の便宜を図るために、文字、アイコン等で入力案内が表示されるものもあった。この場合、ユーザは上記入力案内に従って所定のデータの入力操作を行うので、簡単に間違いなく必要なデータの入力を行うことができる。この入力案内の表示は、ユーザがデータ入力を開始すると消去され、データ入力の妨げにならないように構成されているものがあった。また、下記特許文献１には、携帯電話装置の電話帳への入力を簡略化できる携帯型電話装置の電話帳が開示されている。
【特許文献１】特開２０００−１５１７８６号
【発明の開示】
【発明が解決しようとする課題】
【０００３】
しかし、上記従来の入力案内の表示は、ユーザがデータ入力を間違えたとき等に、入力データを示す表示を全て消去しても再表示されず、ユーザが当該入力画面に何を入力していたか忘れてしまう可能性があるという問題があった。
【０００４】
本発明は、上記従来の課題に鑑みなされたものであり、その目的は、入力データを示す表示を全て消去したときに、入力案内を再表示させることができる、使用しやすい入力案内装置、携帯端末、コンピュータの制御方法及びプログラムを提供することにある。
【課題を解決するための手段】
【０００５】
上記目的を達成するために、本発明は、入力案内を示す入力案内データを記憶する記憶手段と、入力画面の所定領域に前記入力案内データにより示される入力案内を表示する案内初期表示手段と、文字データを入力するための文字データ入力手段と、前記文字データ入力手段により文字データが入力される場合に、前記所定領域に既に表示されている前記入力案内の表示を消去するとともに、該入力案内データが表示されていた前記所定領域に、入力された文字データが示す文字を表示する表示切替手段と、前記所定領域に既に表示されている文字を消去する指示を行うための消去指示手段と、前記所定領域に既に表示された文字が、前記消去指示手段による指示により全て消去される場合に、前記入力案内データを前記記憶手段から読み出して、該入力案内データにより示される入力案内を前記所定領域に再表示する案内再表示手段と、を含むことを特徴とする。
【０００６】
また、上記入力案内装置において、前記記憶手段には、前記入力画面の各入力項目毎に入力可能な所定文字数と、前記文字データ入力手段からの文字データの入力操作中に取得された入力済文字数とが格納され、前記入力可能な所定文字数と前記入力済文字数とに基づき演算部が入力可能な残り文字数を算出し、該値を表示制御部が前記入力画面に表示することを特徴とする。
【０００７】
ここで、上記表示制御部は、前記入力画面に前記入力案内データを前記文字データとは異なる表示態様で表示することを特徴とする。
【０００８】
また、上記記憶手段には、前記入力画面に表示される入力項目が必須入力項目か否かに関する情報が格納され、前記表示制御部は、前記入力画面に前記必須入力項目と非必須入力項目とを異なる表示態様で表示することを特徴とする。
【０００９】
また、上記記憶手段には、前記入力案内データの態様が複数格納され、前記表示制御部は、操作部から入力される指示情報に基づき前記入力画面に前記入力案内データの態様を選択表示することを特徴とする。
【００１０】
また、本発明は、表示手段を有する入力案内装置であって、前記表示手段には文字データ入力を行うための入力画面が表示され、前記入力画面には、入力案内データによって示される入力案内が表示され、入力操作により入力された文字データによって示される文字を前記入力画面に表示した場合に、前記入力案内の表示を消去し、前記入力された文字データによって示される文字の表示を全て消去した場合に、前記入力案内を前記入力画面に再表示することを特徴とする。
【００１１】
また、本発明は、上記いずれかの入力案内装置を備えた携帯端末であることを特徴とする。
【００１２】
また、本発明は、コンピュータの制御方法であって、記憶手段に記憶された入力案内データを読み出し、入力画面の所定領域に該入力案内データにより示される入力案内を表示する案内初期表示ステップと、文字データ入力手段により１文字目の文字データが入力される場合に、前記入力画面の前記所定領域に既に表示されている前記入力案内の表示を消去するとともに、該入力案内データが表示されていた前記入力画面の前記所定領域に、入力された文字データが示す文字を表示する表示切替ステップと、前記入力画面の前記所定領域に既に表示された文字が、消去指示手段による指示により全て消去される場合に、前記入力案内データを前記記憶手段から読み出して、該入力案内データにより示される入力案内を前記入力画面の前記所定領域に再表示する案内再表示ステップと、を含むことを特徴とする。
【００１３】
また、本発明は、入力案内を示す入力案内データを記憶する記憶手段、入力画面の所定領域に前記入力案内データにより示される入力案内を表示する案内初期表示手段、文字を示す文字データを入力するための文字データ入力手段、前記文字データ入力手段により１文字目の文字データが入力される場合に、前記入力画面の前記所定領域に既に表示されている前記入力案内の表示を消去するとともに、該入力案内データが表示されていた前記入力画面の前記所定領域に、入力された文字データが示す文字を表示する表示切替手段、前記入力画面の前記所定領域に既に表示されている文字を消去する指示を行うための消去指示手段、及び前記入力画面の前記所定領域に既に表示された文字が、前記消去指示手段による指示により全て消去される場合に、前記入力案内データを前記記憶手段から読み出して、該入力案内データにより示される入力案内を前記入力画面の前記所定領域に再表示する案内再表示手段、としてコンピュータを機能させるためのプログラムであることを特徴とする。
【発明の効果】
【００１４】
本発明によれば、入力画面の所定領域に既に表示された文字が全て消去された場合に、入力案内を上記所定領域に再表示するので、ユーザが入力画面に何を入力していたか忘れてしまうことがなく、使用しやすい入力案内装置、携帯端末、コンピュータの制御方法及びプログラムを提供できる。
【発明を実施するための最良の形態】
【００１５】
以下、本発明を実施するための最良の形態（以下、実施形態という）を、図面に従って説明する。
【００１６】
図１には、本発明にかかる入力案内装置を備えた携帯通信端末の構成のブロック図が示される。図１において、携帯通信端末は、表示部１０、操作部１２、記憶部１４、制御部１６及び通信部１８で構成されている。表示部１０は、例えば液晶ディスプレイ等で構成され、文字データ等の入力を行うための入力画面が表示されており、この入力画面には、データ入力を案内するための入力案内が表示される。なお、本発明をパーソナルコンピュータ等に適用した場合には、表示部１０をＣＲＴ等で構成することもできる。上記データ入力は、図１の操作部１２により行う。この操作部１２は、例えば携帯通信端末の操作ボタン等により構成されるが、本発明をパーソナルコンピュータ等に適用した場合には、キーボード、マウス等の領域指定手段、バーコード等により構成することもできる。また、記憶部１４は、例えば公知のＲＡＭ、磁気記憶媒体等で構成されており、表示部１０にアイコンや文字等で構成される入力案内を表示するための入力案内データ等の各種データが記憶されている。制御部１６は、例えばＣＰＵ等で構成され、表示部１０、操作部１２、記憶部１４とデータのやり取りを行いながらこれらの動作を制御する。なお、通信部１８は、制御部１６の制御の下、公知の方法により基地局と通信して携帯通信端末としての通話機能を実現している。
【００１７】
図２（ａ）、（ｂ）には、上記入力画面の例が示される。本例はアドレス帳の登録画面である。図２（ａ）において、「アドレス帳登録」及び「グループ登録」の表題に続いて、「名前入力」、「読み入力」、「電話番号入力」等の入力案内が、それぞれアイコンとともに表示されている。ユーザは、これらの入力案内に従い、名前、名前の読み、電話番号等を順次入力していく。また、図２（ｂ）には、「名前入力」の欄に文字「い」が表示された場合を表している。本実施形態では、入力案内が表示されていた領域に文字等が入力されると、表示されていた入力案内が消去される構成となっている。この場合、ユーザの見易さの観点から、上記入力案内の表示と入力された文字の表示とは色を異ならせる等異なる態様とするのが好適である。
【００１８】
図３には、上記記憶部１４の記憶領域の一部の例が示される。図３において、入力画面の入力用の所定領域毎（入力項目毎）にフォームＩＤが付されており、各フォームＩＤ毎に入力項目が必須項目であるか否かを判断するための必須フラグ、入力案内を示すための入力案内データ、ユーザが入力した文字データ、当該所定領域に入力可能な文字数のデータ、当該所定領域への入力済みの文字数のデータ等を格納するための領域が確保されている。
【００１９】
図４は、以上に述べた入力案内装置の動作を示すフロー図である。なお、以下に説明するフローは、媒体に格納されたプログラムをＣＰＵが実行して実現してもよい。図４において、制御部１６の表示制御部２０が記憶部１４から入力案内データを読み出し（Ｓ１）、表示部１０に表示された入力画面の所定領域に、入力案内データにより示される入力案内を表示する（Ｓ２）。この時の表示制御部２０が、本発明にかかる案内初期表示手段として機能する。
【００２０】
次に、制御部１６の判定部２２が、操作部１２から入力があったか否かを監視する（Ｓ３）。この場合の操作部１２は、本発明にかかる文字データ入力手段として機能している。入力があった場合、判定部２２は、その入力が文字入力かバックスペース（Ｂ／Ｓ）かを判定し（Ｓ４）、文字入力の場合に、記憶部１４に記憶されている入力済文字数が１以上か否かを判定する（Ｓ５）。入力済文字数が１以上でない場合、すなわち１文字目の文字データの入力である場合は、表示制御部２２が、文字入力がなされたフォームＩＤに対応する入力案内の表示を入力画面から消去する（Ｓ６）。なお、入力済文字数が１以上である場合は、既に入力画面に表示されている文字が存在しているので、入力案内の表示は消去されており、消去動作を重複しては実行しない。
【００２１】
次に、制御部１６の文字数制御部２６は、各フォームＩＤに対応して記憶部１４に記憶されている、既に取得された入力済文字数を１だけインクリメントする（Ｓ７）。その後、制御部１６の演算部２４が、記憶部１４に記憶されている入力可能文字数と入力済文字数とを読み出し（Ｓ８）、（Ｓ９）、入力可能文字数から入力済文字数を減算して、当該入力項目毎の入力可能残り文字数を算出する（Ｓ１０）。判定部２２は、算出した入力可能残り文字数が負の値となっているか否かを判定する（Ｓ１１）。入力可能残り文字数が負の値となっていない場合、すなわちまだ文字入力可能である場合は、表示制御部２０が所定領域としてのＳ６で消去された入力案内が表示されていた領域に、入力された文字データが示す文字を表示する（Ｓ１２）。また、上記所定領域に入力可能残り文字数も表示する（Ｓ１３）。この入力可能残り文字数が０になるまで、当該所定領域に文字を入力することができる。なお、この場合の表示制御部２０は、本発明にかかる表示切替手段として機能している。また、Ｓ１１において、入力可能残り文字数が負の値となっている場合にはステップがＳ３に戻るが、この場合には以降の当該所定領域への文字入力は行えない。
【００２２】
次に、Ｓ４において入力がバックスペースの場合、表示制御部２０の指示により、所定領域に表示されていた文字が、表示文字列の後部から順次１文字ずつ消去される（Ｓ１４）。この場合の表示制御部２０は、本発明にかかる消去指示手段として機能している。このとき、文字数制御部２６は、記憶部１４に記憶されている既に取得された入力済文字数を１だけデクリメントする（Ｓ１５）。その後、演算部２４が、記憶部１４に記憶されている入力可能文字数と入力済文字数とを読み出し（Ｓ１６）、（Ｓ１７）、入力可能文字数から入力済文字数を減算して入力可能残り文字数を算出する（Ｓ１８）。算出された入力可能残り文字数は、表示制御部２０が上記所定領域に表示する（Ｓ１９）。なお、表示されていた文字を消去する手段は、１文字ずつではなく、表示文字列全てを一括して消去するものであってもよい。
【００２３】
次に、判定部２２が、デクリメントされた入力済文字数が０になったか否かを判定し（Ｓ２０）、０となっていなければステップがＳ３に戻る。また、入力済文字数が０になった場合すなわち所定領域に表示されていた文字が全て消去された場合には、ステップがＳ１に戻り、表示制御部２０が記憶部１４から入力案内データを読み出して、所定領域に入力案内を再表示する。この場合の表示制御部２０は、本発明にかかる案内再表示手段として機能している。
【００２４】
以上に説明した入力案内装置の動作を、図２（ａ）、（ｂ）に示された入力画面により説明する。図２（ａ）に示されるように、表示部１０に文字入力前の入力画面が表示されると、その所定領域には「名前入力」、「読み入力」、「電話番号入力」等の入力案内がアイコンとともに表示されている。また、各所定領域には、それぞれ入力可能残り文字数も表示されている。例えば、「名前入力」が表示された領域には、その領域の入力可能文字数と等しい３０が表示されている。
【００２５】
次に、操作部１２により「名前入力」の領域を選択して文字「い」を入力すると、図３に示された記憶部１４の例のように、フォームＩＤ０１の「入力文字データ」の記憶領域に文字「い」を示すデータが記憶される。このとき、前述した判定部２２により文字入力が検知され、図２（ｂ）に示されるように、表示制御部２０が入力案内としての「名前入力」を消去するとともに、文字「い」を示すデータを表示制御部２０が読み出して、「名前入力」の領域に文字「い」を表示する。また、このとき、入力画面の名前入力欄の所定領域には、入力可能残り文字数も入力可能文字数３０より１文字少ない２９として表示される。このように、本発明においては、入力案内と入力される文字とが同じ領域に表示されるので、入力画面のサイズを小さくすることができる。
【００２６】
次に、操作部１２によりバックスペースの入力を行い、上記文字「い」を消去すると、図３に示された記憶部１４の入力文字データの領域に記憶されていた文字データが削除され、表示制御部２０が図２（ｂ）に示された文字「い」の表示を消去する。このとき、判定部２２が、図３に示されたフォームＩＤ０１の「入力済文字数」の記憶領域のデータが０になったことを検知し、表示制御部２０に、「名前入力」を示す入力案内データを記憶部１４のフォームＩＤ０１の当該領域から読み出し、入力画面の所定領域に表示するよう指示する。これにより、図２（ａ）に示されるように、入力画面の所定領域に、「名前入力」の入力案内が再表示される。また、このとき、入力画面の名前入力欄の所定領域に表示される入力可能残り文字数も、入力可能文字数の３０として表示される。
【００２７】
図５（ａ）、（ｂ）には、本発明にかかる入力案内装置の入力画面の変形例が示される。図５（ａ）は、電話番号の入力が必須である場合を示しており、この必須入力項目の表示を他の必須ではない項目（非必須入力項目）と異なる表示態様で表示している。この表示態様としては、必須入力項目を例えば３Ｄ（立体的）表示、点滅表示、他と異なる色での表示等とすることが好適である。各入力項目が必須入力項目であるか否かは、図３に示される記憶部１４に必須フラグを記憶する領域を設けておき、必須フラグの有無により判断することができる。表示制御部２０は、必須フラグが立てられた項目を必須入力項目と判断し、入力画面上に上記態様の表示を行う。
【００２８】
また、図５（ｂ）は、ユーザが必須入力項目である電話番号を入力せずに登録処理を行おうとした場合に、必須入力項目である旨を表示した例である。このような表示内容も記憶部１４の所定の領域に記憶させておき、表示制御部２０により入力画面上に表示させる構成としておく。
【００２９】
図６には、入力画面に表示される入力案内の表示態様の切替画面の例が示される。図６において、表示タイプＡは、例えばこれまで説明した入力案内の態様であり、表示タイプＢは、例えば文字入力を行って入力案内を１回消去したら再表示しない態様であり、表示タイプＣは、例えばアイコンのみ表示する態様であり、表示タイプＤは、例えば入力案内及びアイコンの表示を行わない態様である。このように、入力案内の表示態様が複数あると、ユーザは、操作方法の理解度や好みに応じて入力案内を適宜選択することができる。なお、これらの各種入力案内を示すデータは、記憶部１４に記憶されており、ユーザが操作部１２によって選択した入力案内を示すデータを表示制御部２０が読み出し、入力画面に表示するように構成されている。
【００３０】
以上に述べた実施形態は、主に本発明を携帯通信端末に適用した例であるが、本発明は、パーソナルコンピュータ、ＰＤＡ等表示手段を有し、これに表示される入力画面からデータ入力する装置であればいずれも適用可能である。また、上述した制御部１６は、ＣＰＵを中心として構成されたコンピュータであってよく、この場合、メモリカードその他の媒体に格納されたプログラムをＣＰＵが実行することで制御部１６の各機能が実現される。
【図面の簡単な説明】
【００３１】
【図１】本発明にかかる入力案内装置を備えた携帯通信端末の構成のブロック図である。
【図２】図１に示された実施形態の入力画面の例を示す図である。
【図３】図１に示された実施形態の記憶部における記憶領域の一部の例を示す図である。
【図４】図１に示された実施形態の動作を示すフロー図である。
【図５】本発明にかかる入力案内装置の入力画面の変形例を示す図である。
【図６】入力案内の表示態様の切替画面の例を示す図である。
【符号の説明】
【００３２】
１０  表示部、１２  操作部、１４  記憶部、１６  制御部、１８  通信部、２０  表示制御部、２２  判定部、２４  演算部、２６  文字数制御部。
【図１】
2005128975.tif 000003
【図２】
2005128975.tif 000004
【図３】
2005128975.tif 000005
【図４】
2005128975.tif 000006
【図５】
2005128975.tif 000007
【図６】
2005128975.tif 000008